(57)【要約】      （修正有）【課題】暴風雨時に、全開して差している洋傘内に暴風が吹き込んで来ても、逆さ傘おちょこ傘にならないで、破損しない洋傘を提供する。【解決手段】洋傘を親骨１と受骨の部位円周２で、洋傘のクロス＆ビニールを上部と下部にカット区分して２重構造にする。カット区分した上部外周縁と下部外周縁は伸縮自在の３ｃｍ乃至５ｃｍ幅のギャザーになって、相互重複して密着しているので、暴風雨時に洋傘を全開して使用しても、暴風雨の雨水が洋傘内に漏水する懸念は無い。全開した洋傘の上部外周縁ギャザーと下部外周縁ギャザーの３ｃｍ乃至５ｃｍ幅の重複エリア３は７０％から８０％伸長している。暴風雨時に全開して差している洋傘内に吹き込んで来た暴風の風圧は、重複した上部外周縁ギャザーと下部外周縁ギャザーを膨張アダプト開口して、暴風を洋傘内から洋傘外へとスルー放出する構造になっている。よって暴風が洋傘内に吹き込んで来ても、逆さ傘おちょこ傘にならないで、破損しない。【選択図】図１
0003158221.tif 000002
【実用新案登録請求の範囲】
【請求項１】
洋傘のクロス＆ビニ−ルを符号の説明２、親骨と受骨のジョイント部位円周で、上部と下部にカット区分した２重構造。
【請求項２】
上部と下部にカット区分した２重構造の、全開した洋傘の符号の説明３、上部外周縁ギャザ−と下部外周縁ギャザ−の３ｃｍ乃至５ｃｍ幅の相互重複エリアは７０％から８０％伸長している。
全開した洋傘内に吹き込んで来た暴風の風圧で、上部外周縁ギャザ−と下部外周縁ギャザ−が膨張アダプト開口して、暴風を洋傘内から洋傘外へとスル−放出する構造。
【請求項３】
符号の説明３、上部外周縁ギャザ−と下部外周縁ギャザ−の３ｃｍ乃至５ｃｍ幅の相互重複エリアは密着している。よって暴風雨時に洋傘を全開して差していても、暴風雨が洋傘内に吹き込む懸念が無い構造。
【請求項４】
符号の説明３、上部外周縁ギャザ−と下部外周縁ギャザ−の３ｃｍ乃至５ｃｍ幅の相互重複エリアの、下部外周縁ギャザ−は上部外周縁ギャザ−より高い起伏ギャザ−のファンクションで、石突を下に全閉して逆さにした洋傘内に雨水の漏水の懸念が無い構造。
【考案の詳細な説明】
【技術分野】
【０００１】  既存の洋傘は、暴風雨時に使用すると、暴風の風圧で洋傘が逆さ、おちょこ、大破するケ−スが無数に続出している。本考案の洋傘は、逆さ、おちょこ、大破しない洋傘の構造に係わる。
【背景技術】
【０００２】  既存の洋傘は、台風など暴風雨時に使用すると洋傘が逆さ、おちょこ、大破するケ−スが無数に続出して、その洋傘の残骸処理に各地方自治体は生産性の無い莫大な経費を毎年捻出している。暴風雨時に外出し、洋傘を全開して差しているユ−ザ−は暴風の風圧で逆さ傘、おちょこになった傘の下で、びしょ濡れになっている。そこで暴風雨時に使用しても逆さ傘、おちょこ傘、大破しない洋傘の構造が希求される。
【考案の概要】
【考案が解決しようとする課題】
【０００３】  暴風雨時に洋傘を全開して差しているとき、洋傘内に暴風が吹き込んで来て、その風圧で洋傘が逆さ、おちょこ、大破しないでユ−ザ−がびしょ濡れにならない洋傘。
【考案を解決するための手段】
【０００４】  洋傘の親骨と受骨は１２本から１８本にして、暴風に対して洋傘の構造を強化する。
【０００５】  洋傘を親骨と受骨のジョイント部位円周で、洋傘のクロス＆ビニ−ルを上部と下部にカット区分して２重構造にする。
【０００６】  ２重構造にカット区分した上部外周縁と下部外周縁は２ｃｍ乃至５ｃｍのギャザ−になっている。そのギャザ−は相互重複し、密着している。
【０００７】  親骨と親骨の間の、各セクションの上部外周縁ギャザ−と下部外周縁ギャザ−の両サイドは、洋傘全体の各親骨と各親骨に固定されている。
【０００８】  全開した洋傘の、相互重複している上部外周縁ギャザ−と下部外周縁ギャザ−は７０％から８０％伸長している。全開した洋傘内に吹き込んで来た暴風の風圧で、上部外周縁ギャザ−と下部外周縁ギャザ−は膨張アダプト開口して、暴風を洋傘内から洋傘外へとスル−放出する。
【０００９】  洋傘を親骨と受骨のジョイント部位円周でカット区分した上部外周縁ギャザ−と下部外周縁ギャザ−は相互重複して密着し、暴風雨時に全開して差している洋傘内に雨水の漏水は無い。
【００１０】  洋傘の下部外周縁ギャザ−は上部外周縁ギャザ−より高い起伏ファンクションで、石突を下に全閉して逆さにした洋傘内に雨水の漏水は無い。
【考案の効果】
【００１１】  暴風雨時の最中に外出し、洋傘を全開して差しても逆さ傘、おちょこ、大破しないので、びしょ濡れになる懸念はなく、安心して外出できる。また破損しないので、買い換え不要で経済的。財政逼迫の最中で、暴風による無数の洋傘大破の残骸処理に、各地方自治体は生産性の無い莫大な経費を毎年捻出しているが、その経費削減に、大いに貢献できる
【図面の簡単な説明】
【００１２】
【図１】暴風スル−アンブレラ全開の、側面図。本考案の暴風スル−アンブレラの大きな特徴は洋傘の親骨と受骨のジョイント部位円周で、洋傘のクロス＆ビニ−ルを上部と下部にカット区分した２重構造にある。上部と下部にカット区分したクロス＆ビニ−ルの上部外周縁と下部外周縁の相互重複エリアは伸縮自在のギャザ−になっている。全開した洋傘の相互重複エリアの上部外周縁ギャザ−と下部外周縁ギャザ−は７０％から８０％伸長して、洋傘内に吹き込んで来た暴風の風圧は、上部外周縁ギャザ−と下部外周縁ギャザ−を膨張アダプト開口して、暴風を洋傘内から洋傘外へとスル−放出する構造になっている。
【図２】暴風スル−アンブレラ全開の、真上から視た正面図。図面の簡単な説明は、上述の図１と、同様です。
【符号の説明】
【００１３】１  親骨
２  親骨と受骨のジョイント部位円周
３  上部外周縁ギャザ−と下部外周縁ギャザ−の３ｃｍ乃至５ｃｍ幅の相互重複エリア
４  露先
５  石突
【図１】
0003158221.tif 000003
【図２】
0003158221.tif 000004
【手続補正書】
【提出日】平成22年1月7日(2010.1.7)
【手続補正１】
【補正対象書類名】明細書
【補正対象項目名】００１１
【補正方法】変更
【補正の内容】
【００１１】  本考案の暴風スル−アンブレラは暴風時の最中に外出し、洋傘を全開して差しても、逆さ傘おちょこ傘にならないので破損しません。よって、びしょ濡れになる懸念はなく安心して外出できます。また破損しないので、買い換え不要で経済的です。全国の各地方自治体は財政逼迫の最中での、暴風による無数の洋傘大破の残骸処理に、生産性の無い莫大な税金公費を毎年捻出し続けていますが、その莫大な経費削減に大きく貢献できるでしょう。
【手続補正２】
【補正対象書類名】明細書
【補正対象項目名】００１２
【補正方法】変更
【補正の内容】
【００１２】
【図１】洋傘を全開した側面図。洋傘の親骨と受骨のジョイント部位円周で、洋傘のクロス＆ビニ−ルを上部と下部にカット区分して２重構造にしている。上部と下部にカット区分したクロス＆ビニ−ルの上部外周縁と下部外周縁は３ｃｍ幅乃至５ｃｍ幅のギャザ−になって相互重複している。
【図２】洋傘を全開して真上から視た正面図。図面の簡単な説明は、上記の、図１と全く同じです。
【手続補正３】
【補正対象書類名】明細書
【補正対象項目名】００１３
【補正方法】変更
【補正の内容】
【００１３】１・・・親骨
２・・・親骨と受骨のジョイント部位
３・・・上部カット区分外周縁ギャザ−と下部カット区分外周縁ギャザ−の相互重複エリア
４・・・露先
５・・・石突
６・・・中棒
７・・・上部カット区分外周縁
８・・・下部カット区分外周縁
【手続補正４】
【補正対象書類名】実用新案登録請求の範囲
【補正対象項目名】全文
【補正方法】変更
【補正の内容】
【実用新案登録請求の範囲】
【請求項１】
洋傘のクロス＆ビニ−ルを親骨と受骨のジョイント部位（２）円周で、上部と下部にカット区分して２重構造にした洋傘の、上部カット区分外周縁（７）と下部カット区分外周縁（８）は３ｃｍ幅乃至５ｃｍ幅のギャザ−になった構造を特徴とする暴風雨対応の洋傘。
【請求項２】
上部と下部にカット区分して２重構造にした洋傘の、上部カット区分外周縁（７）ギャザ−は下部カット区分外周縁（８）ギャザ−の上部で重複して、相互密着している構造を特徴とする請求項１記載の暴風雨対応の洋傘。
【請求項３】
上部と下部にカット区分して２重構造にした洋傘の、上部カット区分外周縁ギャザ−と下部カット区分外周縁ギャザ−の相互重複エリア（３）の、下部カット区分外周縁（８）ギャザ−は上部カット区分外周縁（７）ギャザ−より高い起伏の構造を特徴とする請求項２記載の暴風雨対応の洋傘。
【手続補正５】
【補正対象書類名】図面
【補正対象項目名】全図
【補正の内容】
【図１】
0003158221.tif 000005
【図２】
0003158221.tif 000006